(57)【要約】【課題】電子装置の外観に影響を与えないチップカードの着脱構造を提供すること。【解決手段】本発明に係るカードの着脱構造は、本体部と、前記本体部に装着されて、チップカードを収容するためのトレーと、カバーと、を備える。前記トレーの一方の縁には、前記トレーの内部に向かってスライド溝が設けられ、前記カバーの一端には、推進ロッドが延在しており、前記推進ロッドの自由端には、推進ブロックが設けられ、前記カバーの前記推進ロッドが設けられた一端は、前記本体部に回転可能に装着され、前記カバーを開いて前記推進ロッドを動かして回転させることによって、前記推進ブロックは、前記トレーの前記スライド溝内にスライドし、且つ前記チップカードを推進して、前記チップカードを前記カバーに向かってスライドさせる。【選択図】図７
2015012615.tif 000002
【特許請求の範囲】
【請求項１】
本体部と、前記本体部に装着されて、チップカードを収容するためのトレーと、カバーと、を備えるカードの着脱構造であって、
前記トレーの一方の縁には、前記トレーの内部に向かってスライド溝が設けられ、前記カバーの一端には、推進ロッドが延在しており、前記推進ロッドの自由端には、推進ブロックが設けられ、前記カバーの前記推進ロッドが設けられた一端は、前記本体部に回転可能に装着され、
前記カバーを開き、前記推進ロッドを動かして回転させることによって、前記推進ブロックは、前記トレーの前記スライド溝内にスライドし、且つ前記チップカードを推進して、前記チップカードを前記カバーに向かってスライドさせることを特徴とするカードの着脱構造。
【請求項２】
前記カバーは、内面を備え、前記内面の一端には、連結板が突設されており、前記推進ロッドは、前記連結板の前記内面から離れる方向へ、前記内面とは反対側から延在していることを特徴とする請求項１に記載のカードの着脱構造。
【請求項３】
前記連結板には、軸孔が設けられており、前記本体部は、前記カバーにより塞がれる開口と、前記開口の両側にそれぞれ位置した取付板及び突起と、を含み、
前記突起には、軸体が設けられ、前記軸体が前記軸孔内に回転可能に装着されるので、前記カバーは前記本体部に回転可能に装着されることを特徴とする請求項２に記載のカードの着脱構造。
【請求項４】
前記取付板には、係止部材が設けられ、前記カバーが前記開口を塞ぐように装着されると、前記カバーは、前記係止部材によって前記本体部にロックされることを特徴とする請求項３に記載のカードの着脱構造。
【請求項５】
前記係止部材は、磁石であり、前記カバーは、金属材料からなり、且つ前記係止部材と互いに磁気吸着して固定されることを特徴とする請求項４に記載のカードの着脱構造。
【請求項６】
前記トレーは、主体板及び前記主体板の対向する両端に設けられた複数の連接壁を備え、前記主体板の他の２つの端部の一方の端部には、位置決め片が設けられており、
前記スライド溝は、位置決め片と端部との間から開口端に向かって且つ主体板を貫通して延在し、また、前記位置決め片が所在する縁に対して所定の角度傾斜していることを特徴とする請求項１に記載のカードの着脱構造。
【請求項７】
前記本体部は、回路基板をさらに備え、前記回路基板には、前記チップカードに電気的に接続される接続端子が設けられており、前記トレーは、前記連接壁を介して前記接続端子の上方に固定され、前記主体板と前記回路基板との間には、前記チップカードを収容するための収容空間が形成されることを特徴とする請求項６に記載のカードの着脱構造。
【発明の詳細な説明】
【技術分野】
【０００１】
本発明は、チップカードの着脱機構に関するものである。
【背景技術】
【０００２】
従来のチップカードは、一般的に携帯電話機等の電子装置のカードスロット内に収容される。カードがカードスロット内に収容されると、カードの集積回路は、１つのコネクタを介して携帯電話機の回路基板に接続される。これと同時に、カードの一部は、カードスロットの外部に露出し、且つカバーボード又は電池により遮蔽される。カードを取り換える場合、ユーザは指で前記カバーボードを押し出して、前記カードの前記カードスロットから露出する部分に直接に外力を加えることによって、前記カードを前記カードスロット内から取り出す。しかし、このようなカードの取り出し方は不便である。
【０００３】
一方、科学技術の進歩に伴い、最近の電子装置の外観は全体的に簡略化傾向にある。一部の電子装置は、周面のカード用カバーボード上に貫通孔を設け、ピンを前記貫通孔内に挿入して、前記カード用カバーボードを開く。しかし、前記貫通孔を設けることで、電子装置の外観の全体性を損なう。その上、前記ピンは携帯に不便であり紛失し易い。
【発明の概要】
【発明が解決しようとする課題】
【０００４】
本発明は、電子装置の外観に影響を与えないチップカードの着脱構造を提供することを目的とする。
【課題を解決するための手段】
【０００５】
上記の課題を解決するために、本発明に係るカードの着脱構造は、本体部と、前記本体部に装着されて、チップカードを収容するためのトレーと、カバーと、を備える。前記トレーの一方の縁には、前記トレーの内部に向かってスライド溝が設けられ、前記カバーの一端には、推進ロッドが延在しており、前記推進ロッドの自由端には、推進ブロックが設けられ、前記カバーの前記推進ロッドが設けられた一端は、前記本体部に回転可能に装着され、前記カバーを開いて前記推進ロッドを動かして回転させることによって、前記推進ブロックは、前記トレーの前記スライド溝内にスライドし、且つ前記チップカードを推進して、前記チップカードを前記カバーに向かってスライドさせる。
【発明の効果】
【０００６】
従来の技術と異なり、本発明に係るチップカードの着脱構造のカバーには、推進ロッドが設けられ、前記チップカードを収容するトレーには、傾斜したスライド溝が形成されている。前記カバーが回転して開かれる過程において、前記推進ロッドは、前記カバーの回転に伴って前記チップカードを推進して、前記チップカードを前記本体部の外部へスライドさせる。前記推進ロッドの推進ブロックは、前記チップカードが前記本体部の外へ押し出されるまで、前記スライド溝内でスライドする。これにより、本発明に係るカードの着脱構造は簡単であり、前記本体部の空間を節約できる。また、本発明は、前記カバーにおいて、前記カバーを開くための構造を設ける必要はない。従って、前記本体部の外観に何ら影響を与えない。
【図面の簡単な説明】
【０００７】
【図１】本発明の実施形態に係るカードの着脱構造の斜視図である。
【図２】図１に示したカードの着脱構造の一部の分解斜視図である。
【図３】本発明に係るカードの着脱構造の回路基板の斜視図である。
【図４】図２に示したカードの着脱構造のカバーが係止部材に装着された状態を示す図である。
【図５】図４を反対側から見た図である。
【図６】本発明に係るカードの着脱構造からカードを取り出す過程を示す図である。
【図７】本発明に係るカードの着脱構造からカードを取り出す過程を示す図である。
【発明を実施するための形態】
【０００８】
本発明の実施形態に係るカードの着脱構造は、携帯電話機等の携帯式電子装置に適用される。
【０００９】
図１、図２及び図７に示すように、前記カードの着脱構造は、本体部１０と、前記本体部１０に装着されたトレー２０、カバー３０と、を備える。チップカード５０は、ＳＩＭカード又はメモリカードであり、トレー２０内にスライド可能に装着され且つ本体部１０内に設けられた電気コネクタ（図示せず）と電気的に接続される。
【００１０】
本体部１０は、携帯式電子装置のハウジングとして、底壁１１、底壁１１の周縁部に連接された側壁１２、回路基板１３及び取付部（図示せず）を備える。側壁１２には、矩形の開口１４が設けられている。前記取付部は、取付板１６及び突起１７を含む。取付板１６及び突起１７は、底壁１１に間隔をあけて設けられ、且つ開口１４の両側にそれぞれ位置する。取付板１６には、係止部材１６１が着脱可能に装着されている。本実施形態において、係止部材１６１は、磁石である。突起１７は、略円柱体を呈する。突起１７の底壁１１から離れる表面には、軸体１７１が設けられている。
【００１１】
図２、図３及び図５を併せて参照すると、トレー２０は、略矩形の主体板２１及び主体板２１の対向する両端に設けられた複数の連接壁２２を備える。主体板２１の他の２つの端部の一方の端部２１１には、位置決め片２１２が設けられている。主体板２１における位置決め片２１２の相対する側には、開口端２１３が形成されている。また、主体板２１は、位置決め片２１２と端部２１１との間から開口端２１３に向かって且つ主体板２１を貫通して延在するスライド溝２３をさらに備える。スライド溝２３は、位置決め片２１２が所在する縁に対して所定の角度傾斜している。
【００１２】
回路基板１３には、チップカード５０に電気的に接続される接続端子１３１が設けられている。トレー２０は、連接壁２２を介して回路基板１３の接続端子１３１の上方に固定される。主体板２１は、連接壁２２に支持されて回路基板１３と間隔をあけて設置される。これにより、主体板２１と回路基板１３との間には、チップカード５０を収容するための収容空間が形成される。また、回路基板１３は、側壁１２と当接するように本体部１０内に装着される。この際、トレー２０の開口端２１３は、開口１４に隣接して設けられ、且つ取付板１６と突起１７との間に位置する。
【００１３】
図４を併せて参照すると、カバー３０は、矩形の板体であり、開口１４を塞ぐように装着されて、側壁１２と一体になる。カバー３０は、金属材質からなり、係止部材１６１と互いに磁気吸着して固定される。カバー３０は、内面３１、外面３２、連結板３３及び推進ロッド３４を備える。内面３１の一方側には、内面３１の長さ方向に沿って、チップカード５０に当止されるリブ３１１が突設されている。連結板３３は、内面３１の一端に突設されており、この連結板３３には、軸孔３３１が設けられている。推進ロッド３４は、連結板３３の内面３１から離れる方向へ、内面３１とは反対側の一方側から延伸する。推進ロッド３４の端部には、略円柱状の推進ブロック３４１が設けられており、この推進ブロック３４１は、スライド溝２３内でスライドすることができる。トレー２０が本体部１０に装着された際、スライド溝２３は、軸体１７１を中心とするアーチ形の軌跡上に位置する。
【００１４】
図６及び図７を同時に併せて参照すると、突起１７の軸体１７１は、連結板３３の軸孔３３１内に回転可能に装着される。これにより、カバー３０は本体部１０に回転可能に装着される。チップカード５０は、トレー２０内に装着され且つ前記収容空間内に収容される。チップカード５０の周縁部は、トレー２０の位置決め片２１２、端部２１１及びカバー３０のリブ３１１により挟持されている。また、チップカード５０は、回路基板１３の接続端子１３１に電気的に接続される。開口１４の一方側に位置する係止部材１６１がカバー３０と互いに磁気吸着するので、カバー３０は開口１４を塞ぐように側壁１２に固定される。この時、推進ロッド３４は、トレー２０の一方側に位置する。
【００１５】
チップカード５０を取り出す場合、カバー３０を側壁１２から取り外した後、カバー３０を軸体１７１の周りで回転させる。この際、推進ロッド３４は、カバー３０の回転に伴って、チップカード５０の端部２１１から露出した一端に向かって回転すると共に、チップカード５０を推進して、チップカード５０を開口１４の外部へスライドさせる。また、カバー３０の回転に伴って、推進ロッド３４の推進ブロック３４１は、トレー２０のスライド溝２３内にスライドし、且つチップカード５０の一部を開口１４の外へ押し出す。カバー３０が完全に開くと、チップカード５０全体をトレー２０から取り出すことができる。
【００１６】
上記の実施形態から分かるように、本発明に係るカードの着脱構造のトレー２０は、回路基板１３に固定され、且つ接続端子１３１を遮蔽して、チップカード５０を搭載する。カバー３０は軸体１７１を介して本体部１０に回転可能に装着され、且つ係止部材１６１を介して固定される。カバー３０の一方側には、推進ロッド３４が延在しており、トレー２０には、傾斜しているスライド溝２３が設けられている。カバー３０が回転して開かれる過程において、推進ロッド３４はカバー３０に伴って回転しながら、チップカード５０を推進して本体部１０の外部へスライドさせる。推進ロッド３４の推進ブロック３４１は、チップカード５０が本体部１０の外へ押し出されるまで、スライド溝２３内でスライドする。これにより、本発明に係るカードの着脱構造は簡単であり、本体部１０の空間を節約できる。また、本発明は、カバー３０において、カバー３０を開くための構造を設ける必要はない。従って、本体部１０の外観に何ら影響を与えない。
【符号の説明】
【００１７】
１０  本体部
１１  底壁
１２  側壁
１３  回路基板
１３１  接続端子
１４  開口
１６  取付板
１６１  係止部材
１７  突起
１７１  軸体
２０  トレー
２１  主体板
２２  連接壁
２１１  端部
２１２  位置決め片
２１３  開口端
２３  スライド溝
３０  カバー
３１  内面
３１１  リブ
３２  外面
３３  連結板
３３１  軸孔
３４  推進ロッド
３４１  推進ブロック
５０  チップカード
【図１】
2015012615.tif 000003
【図２】
2015012615.tif 000004
【図３】
2015012615.tif 000005
【図４】
2015012615.tif 000006
【図５】
2015012615.tif 000007
【図６】
2015012615.tif 000008
【図７】
2015012615.tif 000009